(57)【要約】【課題】この発明は、簡易なダクト構造でかご室内の空気を昇降路の外部に排出できるようにし、低価格化のエレベータのかご室内強制換気装置を得る。【解決手段】開口２１ａの相対する両縁部のそれぞれに沿って鉛直方向に延在し、ピン２３周りに回動可能に配設された一対の基部２２ａと、一対の基部２２ａのそれぞれから一体に鉛直ダクト２０の内部に延設され、当接して開口２１ａを塞口する一対の舌部２２ｃと、一対の基部２２ａのそれぞれと鉛直ダクト２０の内壁面との間に配設され、一対の舌部２２ｃを当接させるように付勢する戻しばねと、一対の基部２２ａのそれぞれから一体に鉛直ダクト２０の外部に延設され、戻しばねの付勢力に抗する力を受けて一対の基部２２ａを回動させる一対の作動腕２２ｂと、かご側ダクト１２の昇降に連動して一対の作動腕２２ｂを押圧しつつ昇降する押付けローラ１７と、を備えている。【選択図】図４
2013107756.tif 000002
【特許請求の範囲】
【請求項１】
かご室内の空気を換気するエレベータのかご室内強制換気装置であって、
排出口となるノズルを有し、吸入口側を上記かご室に取り付けられ、該かご室の昇降に連動して昇降するかご側ダクトと、
上記かご側ダクト内に配設され、上記かご室内の空気を上記吸入口から該かご側ダクト内に吸入して上記ノズルから排出させるかご室排気ファンと、
昇降路内に上下方向に延設され、上記ノズルが挿入される開口が上下方向に延在する鉛直ダクトと、
上記開口を塞口するように上記鉛直ダクトに取り付けられ、上記ノズルが挿入される隙間が形成可能に構成されたファスナー機構部と、
上記かご側ダクトに取り付けられ、該かご側ダクトの昇降に連動して上記ファスナー機構部の係合位置を変えつつ昇降し、該隙間を該かご側ダクトの昇降に連動して昇降するように該ファスナー機構部に形成する隙間形成手段と、
上記鉛直ダクトの上部開口と上記昇降路の外部とを連通する上部ダクトと、
上記鉛直ダクトの下部開口と上記昇降路の外部とを連通する下部ダクトと、
を備えたエレベータのかご室内強制換気装置。
【請求項２】
上記ファスナー機構部は、上記開口の相対する両縁部のそれぞれに沿って鉛直方向に延在し、鉛直軸周りに回動可能に配設された一対の基部と、上記一対の基部のそれぞれから一体に上記開口から離れるにしたがい互いに近づくように上記鉛直ダクトの内部に延設され、当接して上記開口を塞口する一対の舌部と、上記一対の基部のそれぞれと上記鉛直ダクトの内壁面との間に配設され、上記一対の舌部を当接させるように付勢する戻しばねと、上記一対の基部のそれぞれから一体に上記鉛直ダクトの外部に延設され、上記戻しばねの付勢力に抗する力を受け、上記一対の舌部間に上記隙間を形成するように上記一対の基部を回動させる一対の作動腕と、を備えていることを特徴とする請求項１記載のエレベータのかご室内強制換気装置。
【請求項３】
上記隙間形成手段は、上記ノズルの上端側および下端側に、それぞれ該ノズルを挟んで水平軸周りに回転可能に配置され、上記かご側ダクトの昇降に連動して上記一対の作動腕を押圧しつつ昇降する押し付けローラであることを特徴とする請求項２記載のエレベータのかご室内強制換気装置。
【請求項４】
上記上部ダクトおよび上記下部ダクトの少なくとも一方に換気ファンを備え、該下部ダクトから該上部ダクトに向う空気の流れ、若しくは該上部ダクトから該下部ダクトに向う空気の流れを上記鉛直ダクト内に形成することを特徴とする請求項１乃至請求項３のいずれか１項に記載のエレベータのかご室内強制換気装置。
【請求項５】
上記換気ファンは有圧換気ファンであることを特徴とする請求項４記載のエレベータのかご室内強制換気装置。
【請求項６】
防塵フィルターが、上記かご側ダクト内に配設されていることを特徴とする請求項１乃至請求項５のいずれか１項に記載のエレベータのかご室内強制換気装置。
【発明の詳細な説明】
【技術分野】
【０００１】
この発明は、エレベータのかご室内強制換気装置に関するものである。
【背景技術】
【０００２】
マンションなどに設置されたエレベータは、生活環境と同居しており、朝の出勤時に生ゴミを運ぶ人がおり、その直後に乗り込むと、腐った特有の臭いが残っており、不愉快になることがある。
【０００３】
そこで、吸気口および排気口を昇降路に開口するようにかご室に設け、送風機により昇降路内の空気を吸気口から吸入し、かご室内の空気を排気口から昇降路に排出する従来のエレベータのかご室の換気装置が提案されていた（例えば、特許文献１参照）。
【０００４】
しかしながら、従来のエレベータのかご室の換気装置では、かご室内の異臭のある空気が昇降路に排出され、昇降路内に拡散し、薄められて吸入口から取り込まれるので、かご室内の異臭がなかなか消えないという不具合があった。
【０００５】
このような状況を鑑み、かご室に取り付けられたかご側ダクトと、かご室内の空気をかご側ダクトを介して排出するかご室排気ファンと、昇降路の上方に設置された第１ベルト車と昇降路の下方に設置された第２ベルト車とに巻き掛けられ、かご側ダクトの排出口側が取り付けられてかご室の昇降に連動して動くベルトと、第１ベルト車と第２ベルト車に巻き掛けられたベルトを収納するとともに、空気の通り道となる収納ダクトと、収納ダクトの上部と昇降路の外部とをつなぐ上部ダクトと、収納ダクトの下部と昇降路の外部とをつなぐ下部ダクトと、を備え、かご室排気ファンによりかご室内の空気をがご側ダクトから収納ダクトに排出し、上部ダクトから昇降路の外部に排出するようにした従来のエレベータのかご室内強制換気装置が提案されていた（例えば、特許文献２参照）。
【先行技術文献】
【特許文献】
【０００６】
【特許文献１】特開昭４９−１３５３５１号公報
【特許文献２】特開２０１０−２６９８５６号公報
【発明の概要】
【発明が解決しようとする課題】
【０００７】
特許文献２に記載の従来のエレベータのかご室内強制換気装置では、かご室内の空気が昇降路の外部に排出されるので、かご室内に異臭が発生しても、その臭いは速やかに消える。
しかしながら、特許文献２に記載の従来のエレベータのかご室内強制換気装置では、かご側ダクトの排出口側が取り付けられたベルトをかご室の昇降に連動して動かす機構が大掛かり、かつ複雑なものとなり、装置の高価化が避けられないという課題があった。
【０００８】
本発明は、このような課題を解決するためになされたものであり、簡易なダクト構造でかご室内の空気を昇降路の外部に排出できるようにし、低価格化のエレベータのかご室内強制換気装置を得ることを目的とする。
【課題を解決するための手段】
【０００９】
本発明に係るエレベータのかご室内強制換気装置は、排出口となるノズルを有し、吸入口側を上記かご室に取り付けられ、該かご室の昇降に連動して昇降するかご側ダクトと、上記かご側ダクト内に配設され、上記かご室内の空気を上記吸入口から該かご側ダクト内に吸入して上記ノズルから排出させるかご室排気ファンと、昇降路内に上下方向に延設され、上記ノズルが挿入される開口が上下方向に延在する鉛直ダクトと、上記開口を塞口するように上記鉛直ダクトに取り付けられ、上記ノズルが挿入される隙間が形成可能に構成されたファスナー機構部と、上記かご側ダクトに取り付けられ、該かご側ダクトの昇降に連動して上記ファスナー機構部の係合位置を変えつつ昇降し、該隙間を該かご側ダクトの昇降に連動して昇降するように該ファスナー機構部に形成する隙間形成手段と、上記鉛直ダクトの上部開口と上記昇降路の外部とを連通する上部ダクトと、上記鉛直ダクトの下部開口と上記昇降路の外部とを連通する下部ダクトと、を備えている。
【発明の効果】
【００１０】
本発明によれば、ノズルが挿入される隙間が形成可能に構成されたファスナー機構部が、開口を塞口するように鉛直ダクトに取り付けられ、隙間形成手段が、かご側ダクトの昇降に連動してファスナー機構部の係合位置を変えつつ昇降し、隙間をかご側ダクトの昇降に連動して昇降するようにファスナー機構部に形成している。そこで、かご側ダクトの排出口側が取り付けられたベルトをかご室の昇降に連動して動かすような大掛かりな機構が不要となり、かご室内強制換気装置の低価格化が図られる。
【図面の簡単な説明】
【００１１】
【図１】この発明の実施の形態１に係るエレベータのかご室内強制換気装置が設置されたエレベータの構成を模式的に示す断面図である。
【図２】図１のＩＩ−ＩＩ矢視断面図である。
【図３】図１のＩＩＩ−ＩＩＩ矢視断面図である。
【図４】この発明の実施の形態１に係るエレベータのかご室内強制換気装置におけるかご側ダクトと鉛直ダクトとの係合状態を説明する要部斜視図である。
【図５】図１のＶ−Ｖ矢視断面図である。
【図６】図５のＶＩ−ＶＩ矢視断面図である。
【発明を実施するための形態】
【００１２】
以下、本発明のエレベータのかご室内強制換気装置の好適な実施の形態について図面を用いて説明する。
【００１３】
実施の形態１．
図１はこの発明の実施の形態１に係るエレベータのかご室内強制換気装置が設置されたエレベータの構成を模式的に示す断面図、図２は図１のＩＩ−ＩＩ矢視断面図、図３は図１のＩＩＩ−ＩＩＩ矢視断面図、図４はこの発明の実施の形態１に係るエレベータのかご室内強制換気装置におけるかご側ダクトと鉛直ダクトとの係合状態を説明する要部斜視図、図５は図１のＶ−Ｖ矢視断面図、図６は図５のＶＩ−ＶＩ矢視断面図である。
【００１４】
図１において、かご室３は、例えば、駆動綱車（図示せず）に巻き掛けられた主ロープ(図示せず)の端部に固着され、昇降路１に上下方向に延設されたガイドレール（図示せず）に案内されて、昇降可能に配設されている。かご室３は、かご床４、かご床４上に立設され、かご室３内を昇降路１に対して隔離する側壁５、側壁５の上部を塞口する天井６、乗り場２との間で乗客８の乗降を行う出入り口のかご戸７、などを備えている。
【００１５】
かご室内強制換気装置は、天井６に設置され、昇降路１内の空気をかご室３内に吸い込む天井ファン１１、側壁５に取り付けられた排気用のかご側ダクト１２、かご側ダクト１２内に設置され、かご室３内の空気を排出するかご室排気ファン１５、昇降路１内に上下方向に延設された鉛直ダクト２０、鉛直ダクト２０の上部と昇降路１の外部とを連通する上部ダクト２５、鉛直ダクト２０の下部と昇降路１の外部とを連通する下部ダクト２７、上部ダクト２５内に設置された排気ファン２６、下部ダクト２７内に設置された吸気ファン２８などを備えている。
【００１６】
かご側ダクト１２は、図２および図４に示されるように、一端にノズル１２ａが延設された筒状体であり、ノズル１２ａが昇降路１内に延出するようにかご室３の一側壁５に取り付けられている。防塵フィルター１３が、保護網１４に支持されてかご側ダクト１２の吸入口に配設されている。また、かご室排気ファン１５がかご側ダクト１２内の防塵フィルター１３の排気側に配設されている。さらに、化粧カバー１６がかご側ダクト１２の吸入口を覆うように、側壁５の内面に取り付けられている。
【００１７】
隙間形成手段としての押し付けローラ１７は、図２および図４に示されるように、かご室３に取り付けられたかご側ダクト１２に、ノズル１２ａの根元側の上端および下端のそれぞれに、ノズル１２ａを挟んで一対ずつ、ノズル１２ａの延出方向と直交する水平軸１８回りに回転可能に取り付けられている。
【００１８】
鉛直ダクト２０は、図１、図３および図４に示されるように、開口２１ａが一壁面の長さ方向に延在する略断面矩形の所定長さのダクト２１を、開口２１ａをかご側ダクト１２が取り付けられた側壁５に向けて、昇降路１内に上下方向に連設して構成されている。開口２１ａには、ファスナー機構部が装着され、鉛直ダクト２０内を昇降路１から隔離している。
【００１９】
ファスナー機構部は、複数対のファスナー部材２２と複数の戻しばね２４とを備えている。
【００２０】
ファスナー部材２２は、例えば、ニトリルゴム、フッ素ゴム、ウレタンゴムなどの軟質材を用いて、作動腕２２ｂと舌部２２ｃとが基部２２ａから両側に延設された断面「へ」状の帯状体に作製されている。そして、ファスナー部材２２は、図４に示されるように、基部２２ａをダクト２１の開口２１ａの相対する両縁部のそれぞれに沿って鉛直方向に延在させて、基部２２ａを鉛直方向に挿通されたピン２３周りに回動可能に、舌部２２ｃをダクト２１内に位置させて相対するように取り付けられている。両作動腕２２ｂは開口２１ａの外部に基部２２ａから延設されている。両舌部２２ｃは、開口２１ａから離れるにつれ互いに近づくようにダクト２１内に配設されている。さらに、戻しばね２４が、図３に示されるように、各ファスナー部材２２の基部２２ａとダクト２１の内壁面との間に、上下方向に所定の間隔で縮設されている。
【００２１】
このように開口２１ａの相対する両縁部に配設されたファスナー部材２２の対が、開口２１ａの上下方向の全域に連なって配設されている。そして、各対のファスナー部材２２が、戻しばね２４の付勢力によりピン２３周りに回動し、相対する舌部２２ｃが当接して、ダクト２１内を昇降路１から隔離している。
【００２２】
舌部２２ｃは基部２２ａから離れるほど薄肉に形成され、可撓性を有している。また、基部２２ａおよび作動腕２２ｂは、舌部２２ｃに比べて肉厚に形成され、戻しばね２４の付勢力や押し付けローラ１７の押し付け力を受けて、ファスナー部材２２をピン２３周りに回動できるとともに、ピン２３周りの回動力が付勢力や押し付け力の作用点からピン２３の軸方向に離れるにつれ弱まるような剛性に調整されている。
【００２３】
ここで、鉛直ダクト２０は、図２に示されるように、かご側ダクト１２のノズル１２ａの先端側が開口２１ａからダクト２１内に入るような位置に配設されている。また、押し付けローラ１７は、一対のファスナー部材２２の作動腕２２ｂを押圧してファスナー部材２２をピン２３周りに回動させ、舌部２２ｃ間にノズル１２ａが挿入可能な隙間を形成するように位置調整されて、かご側ダクト１２に取り付けられている。
【００２４】
上部ダクト２５は、図５および図６に示されるように、鉛直ダクト２０の上部開口と昇降路１の外部とを連通するように配設されている。そして、排気ファン２６が上部ダクト２５内に設置され、保護網１４が上部ダクト２５内の排気ファン２６の排気側に設置されている。同様に、下部ダクト２７が、鉛直ダクト２０の下部開口と昇降路１の外部とを連通するように配設され、吸気ファン２８が、下部ダクト２７内に設置され、保護網１４が下部ダクト２７内の吸気ファン２８の吸気側に設置されている。
【００２５】
なお、開口２１ａの上端および上部ダクト２５は、かご室３が最上階に着床したときに、かご側ダクト１２より高い位置に設置され、開口２１ａの下端および下部ダクト２７は、かご室３が最下階に着床したときに、かご側ダクト１２より低い位置に設置されている。
また、かご室排気ファン１５、排気ファン２６および吸気ファン２８などの換気ファンには、有圧換気ファンが用いられる。
【００２６】
つぎに、このように構成されたかご室内強制換気装置の動作について説明する。
押し付けローラ１７が、一対のファスナー部材２２の作動腕２２ｂを押圧すると、ファスナー部材２２が戻しばね２４の付勢力に抗してピン２３周りに回動される。これにより、一対のファスナー部材２２が開けられ、舌部２２ｃ間に隙間が形成される。
また、一対のファスナー部材２２の作動腕２２ｂへの押し付けローラ１７の押圧を解除すると、戻しばね２４の蓄勢力が放勢され、ファスナー部材２２がピン２３周りに回動される。これにより、一対のファスナー部材２２が閉じられ、舌部２２ｃ同士が当接する。
このように、一対のファスナー部材２２の押し付けローラ１７に押し付けられている領域およびその前後の領域が開けられた状態となる。
【００２７】
そして、かご側ダクト１２は、かご室３の昇降に連動して昇降する。このかご側ダクト１２の昇降に連動して、押し付けローラ１７は、図４に示されるように、ファスナー部材２２の作動腕２２ｂを押圧しながら昇降する。これにより、一対のファスナー部材２２の開けられた領域がかご室３の昇降に連動して昇降する。そこで、かご側ダクト１２がノズル１２ａを一対のファスナー部材２２の開けられた領域の舌部２２ｃ間の隙間から鉛直ダクト２０内に延出させてかご室３の昇降に連動して昇降する。
【００２８】
排気ファン２６および吸気ファン２８が駆動されると、図１に矢印で示されるように、下部ダクト２７から鉛直ダクト２０内に吸気され、鉛直ダクト２０内を上方に流れ、上部ダクト２５から外部に排気される空気の流れが形成される。そして、天井ファン１１およびかご室排気ファン１５が駆動されると、昇降路１内の空気がかご室３内に吸気され、かご室３内の空気がかご側ダクト１２から鉛直ダクト２０内に排気される。鉛直ダクト２０内に排気されたかご室３内の空気は、鉛直ダクト２０内を流れる空気の流れにのって鉛直ダクト２０の上部にのぼり、昇降路１内に漏れることなく、上部ダクト２５から外部に排気される。そこで、乗客８が持ち込んだゴミ袋９から発生した生ゴミなどの異臭は、かご室３内の空気とともに、昇降路１の外部に排気される。これにより、かご室３内の異臭をある空気が、天井ファン１１により吸気された昇降路１内の空気と入れかえられ、かご室３内の異臭がなくなる。
【００２９】
この実施の形態１によれば、鉛直ダクト２０が上下方向に延設され、上部ダクト２５および下部ダクト２７が鉛直ダクト２０の上部開口および下部開口と昇降路１の外部とを連通するように配設されている。一対のファスナー部材２２が基部２２ａを鉛直ダクト２０の開口２１ａの両縁部のそれぞれに沿わせて鉛直方向に延在させ、基部２２ａを鉛直方向に挿通するピン２３周りに回動可能に取り付けられ、戻しばね２４が舌部２２ｃ同士を当接させるように基部２２ａと鉛直ダクト２０の内壁面との間に縮設されている。そして、押し付けローラ１７が、一対のファスナー部材２２の作動腕２２ｂを押圧して、一対のファスナー部材２２をピン２３周りに回動させ、舌部２２ｃ間に隙間を形成するように、かご側ダクト１２に取り付けられ、かご側ダクト１２のノズル１２ａが舌部２２ｃ間に形成された隙間から鉛直ダクト２０内に延出している。そして、かご室排気ファン１５がかご側ダクト１２内に配設されている。
【００３０】
これにより、かご室３の昇降に連動して押し付けローラ１７が昇降し、舌部２２ｃ間に形成される隙間が昇降し、ノズル１２ａが当該隙間内に位置しながら昇降するので、鉛直ダクト２０内に排出されたかご室３内の空気の昇降路１内への漏れを抑えて、かご室３内の空気を昇降路１の外部に排出できる。そこで、乗客８が持ち込んだゴミ袋９から発生した生ゴミなどの異臭が昇降路１内に漏れ出てかご室３内に戻されるようなことが抑えられ、かご室３内の異臭がいつまでも残るような事態がなくなる。このように、かご側ダクト１２の排出口側が取り付けられたベルトをかご室３の昇降に連動して動かすような大掛かりな機構が不要となり、かご室３内の空気を換気できるかご室内強制換気装置を簡易な構成を実現でき、低コスト化が図られる。
【００３１】
また、上部ダクト２５および下部ダクト２７に排気ファン２６および吸気ファン２８が配設されているので、下部ダクト２７から上部ダクト２５に至る空気の上昇気流が鉛直ダクト２０内に形成される。これにより、鉛直ダクト２０内に排出されたかご室３内の空気は、鉛直ダクト２０内の空気の上昇気流に乗って昇降路１の外部に排出されるので、鉛直ダクト２０内に排出されたかご室３内の空気の昇降路１内への漏洩が抑えられる。そこで、鉛直ダクト２０内に排出されたかご室３内の空気がかご室３内に戻されることがなく、かご室３内の空気がスムーズに換気される。
【００３２】
ここで、排気ファン２６の排気能力を吸気ファン２８の吸気能力より大きくすれば、鉛直ダクト２０内が負圧となり、鉛直ダクト２０内に排出されたかご室３内の空気が昇降路１内に漏れ出ることが防止される。
【００３３】
また、かご室排気ファン１５、排気ファン２６および吸気ファン２８に有圧換気ファンが用いられているので、かご室３内の汚れた空気を昇降路１の外部に効率的に排出することができる。
また、防塵フィルター１３がかご側ダクト１２内に配設されているので、塵やごみが昇降路１の外部に排出されるのを防止できる。
【００３４】
なお、上記実施の形態１では、上部ダクト２５および下部ダクト２７に排気ファン２６および吸気ファン２８を配設するものとしているが、排気ファン２６および吸気ファン２８を省略してもよし、排気ファン２６および吸気ファン２８の一方を省略してもよい。排気ファン２６および吸気ファン２８を省略した場合には、鉛直ダクト２０内に排気されたかご室３内の空気は、かご室排気ファン１５の送風能力により鉛直ダクト２０内を流通し、上部ダクト２５又は下部ダクト２７から昇降路１の外部に排出される。また、排気ファン２６および吸気ファン２８の一方を省略した場合には、鉛直ダクト２０内に下部ダクト２７から上部ダクト２５に向う空気の流れを形成できるので、鉛直ダクト２０内に排気されたかご室３内の空気を効果的に昇降路１の外部に排出できる。
【００３５】
また、上記実施の形態１では、排気ファン２６を上部ダクト２５内に配設して上部ダクト２５を排気ダクトとして機能させ、吸気ファン２８を下部ダクト２７内に配設して下部ダクト２７を吸気ダクトとして機能させるものとしているが、排気ファン２６を下部ダクト２７内に配設して下部ダクト２７を排気ダクトとして機能させ、吸気ファン２８を上部ダクト２５内に配設して上部ダクト２５を吸気ダクトとして機能させてもよい。
【００３６】
また、上記実施の形態１では、換気ファンが鉛直ダクト２０内に配設されていないが、鉛直ダクト２０内の空気の流速を補う必要があれば、換気ファンを鉛直ダクト２０内に配設してもよい。
また、上記実施の形態１では、押し付けローラ１７が作動腕２２ｂを押圧してファスナー部材２２を開いて舌部２２ｃ間に隙間を形成するものとしているが、押し付けローラ１７が舌部２２ｃの基部２２ａ側を押圧してファスナー部材２２を開いて舌部２２ｃ間に隙間を形成するようにしてもよい。この場合、基部２２ａをピン２３周りに回動させて、あるいは舌部２２ｃの根元側を弾性変形させて、舌部２２ｃ間に隙間を形成することになり、作動腕を省略できる。また、舌部２２ｃの根元側を弾性変形させる形態では、舌部２２ｃの復元力により舌部２２ｃ間を当接できるので、戻しばねを省略できる。
【符号の説明】
【００３７】
３  かご室、１２  かご側ダクト、１２ａ  ノズル、１５  かご室排気ファン、２０  鉛直ダクト、２１  ダクト、２１ａ  開口、２２  ファスナー部材（ファスナー機構部）、２２ａ  基部、２２ｂ  作動腕、２２ｃ  舌部、２３  ピン、２４  戻しばね（ファスナー機構部）、２５  上部ダクト、２６  排気ファン、２７  下部ダクト、２８  吸気ファン。
【図１】
2013107756.tif 000003
【図２】
2013107756.tif 000004
【図３】
2013107756.tif 000005
【図４】
2013107756.tif 000006
【図５】
2013107756.tif 000007
【図６】
2013107756.tif 000008